(57)【要約】【課題】遠隔操作のための電力の供給状況を考慮する必要があり、また、溶接の作業効率を向上させることができなかった。【解決手段】表面に光電池１０１が配置された保護面１０と、溶接機３のパラメータを設定するための操作を受け付ける一以上の操作部と、操作部が受け付けた操作に応じたパラメータを設定する設定指示を溶接機に送信する送信部２０２とを備えており、保護面１０を保持するためのグリップ２０と、光電池１０１が取得した電力を送信部２０２に供給する電力供給部６０とを備えた。これにより、遠隔操作のための電力の供給状況を考慮する必要がなく、また、溶接の作業効率を向上させることができる。【選択図】図１
2015223596.tif 000002
【特許請求の範囲】
【請求項１】
表面に光電池が配置された保護面と、
溶接機のパラメータを設定するための操作を受け付ける一以上の操作部と、前記操作部が受け付けた操作に応じたパラメータを設定する設定指示を前記溶接機に送信する送信部とを備えており、前記保護面を保持するためのグリップとを備え、
前記送信部は、前記光電池が取得した電力を用いて送信を行う溶接用保護面。
【請求項２】
前記溶接機は、溶接時のシールドガスとしてアルゴンガスを用いるものであり、
前記光電池は、単結晶シリコンを用いた光電池である請求項１記載の溶接用保護面。
【請求項３】
前記溶接機は、消耗電極を用いる溶接機であり、
前記光電池は、単結晶シリコンを用いた光電池である請求項１記載の溶接用保護面。
【請求項４】
前記送信部は、無線通信により前記設定指示を送信する請求項１から請求項３いずれか一項記載の溶接用保護面。
【請求項５】
前記光電池が取得した電力を蓄積する二次電池を更に備えた請求項１から請求項４いずれか一項記載の溶接用保護面。
【請求項６】
溶接機のパラメータを設定するための操作を受け付ける複数の操作部を備えた請求項１から請求項５いずれか一項記載の溶接用保護面。
【請求項７】
前記操作部のうちの一以上は、溶接機のパラメータである電流を設定する操作、または、溶接機のパラメータである電圧を設定する操作の少なくとも一方を受け付ける請求項１から請求項６いずれか一項記載の溶接用保護面。
【請求項８】
前記一以上の操作部が、それぞれ、三以上の異なるパラメータの値を設定する操作を受け付ける請求項１から請求項７いずれか一項記載の溶接用保護面。
【請求項９】
前記一以上の操作部の少なくとも一部は、一以上の操作部が予め指定された操作を受け付けた場合に、溶接機のパラメータを設定するための操作を受け付け可能な状態となる請求項１から請求項８いずれか一項記載の溶接用保護面。
【発明の詳細な説明】
【技術分野】
【０００１】
本発明は、溶接用保護面等に関するものである。
【背景技術】
【０００２】
アーク放電を利用する溶接システムは、通常、重量があるため移動させない溶接電源装置と、溶接箇所の変更に伴って溶接作業者が持ち運び可能なワイヤ送給装置とを有している。溶接電源装置が溶接作業の位置から離れた場所に配置されている場合、溶接電圧などの溶接条件を設定するために、溶接作業者が溶接電源装置の設置場所まで行くのは作業効率が悪い。これを解消するために、溶接電源装置との間で無線通信を行う遠隔操作装置を用いて溶接条件の設定を行う溶接システムが開発されている（例えば、特許文献１、２参照）。
【先行技術文献】
【特許文献】
【０００３】
【特許文献１】特許第３４１４１９３号公報（第１頁、第１図等）
【特許文献２】特開平３−２７５２７８号公報（第１頁、第１図等）
【発明の概要】
【発明が解決しようとする課題】
【０００４】
遠隔操作装置の電源には、乾電池や蓄電池が用いられる。しかし、乾電池の場合、電圧が低下する前に、交換する必要があり、蓄電池の場合、電圧が低下する前に充電器に接続して充電する必要がある。電池の交換や充電を怠って溶接作業中に電源電圧が低下してしまった場合、操作や通信が適切に行えなくなり、溶接条件を変更できず、適切に溶接が行えない場合があるという課題があった。
【０００５】
また、溶接作業時には、一方の手に溶接用保護面を、もう一方の手に溶接トーチを持って溶接を行うため、溶接の電圧等のパラメータを変更する際には、一旦、溶接を中断して、溶接トーチを持った手等で遠隔操作装置等を操作しなければならないため、作業が中断してしまい、作業効率が悪いという課題があった。
【０００６】
本発明は、上記のような課題を解消するためになされたものであり、電力の供給状況を考慮する必要がなく、かつ、作業効率を損ねることなく溶接機を遠隔操作できる溶接用保護面を提供することを目的とする。
【課題を解決するための手段】
【０００７】
本発明の溶接用保護面は、表面に光電池が配置された保護面と、溶接機のパラメータを設定するための操作を受け付ける一以上の操作部と、操作部が受け付けた操作に応じたパラメータを設定する設定指示を溶接機に送信する送信部とを備えており、保護面を保持するためのグリップとを備え、送信部は、光電池が取得した電力を用いて送信を行う溶接用保護面である。
【０００８】
かかる構成により、溶接機のパラメータを設定する操作のための電力不足をなくすことができる。また、一次電池の交換の手間等をなくすことができる。また、保護面の表面に光電池を設けたことにより、溶接時に効率よく、確実に光電池で電力を生成することができる。また、操作部を操作することで、作業中に溶接のパラメータを設定することができ、溶接の作業効率を向上させることができる。
【０００９】
また、本発明の溶接用保護面は、前記溶接用保護面において、溶接機は、溶接時のシールドガスとしてアルゴンガスを用いるものであり、光電池は、単結晶シリコンを用いた光電池である溶接用保護面である。
【００１０】
かかる構成により、溶接のアーク光から効率よく電力を生成することができる。
【００１１】
また、本発明の溶接用保護面は、前記溶接用保護面において、溶接機は、消耗電極を用いる溶接機であり、光電池は、単結晶シリコンを用いた光電池である溶接用保護面である。
【００１２】
かかる構成により、溶接のアーク光から効率よく電力を生成することができる。
【００１３】
また、本発明の溶接用保護面は、前記溶接用保護面において、送信部は、無線通信により設定指示を送信する溶接用保護面である。
【００１４】
かかる構成により、有線接続が不要となり、溶接用保護面の操作性を向上させることができる。
【００１５】
また、本発明の溶接用保護面は、前記溶接用保護面において、光電池が取得した電力を蓄積する二次電池を更に備えた溶接用保護面である。
【００１６】
かかる構成により、操作に利用されなかった電力を蓄積することができる。
【００１７】
また、本発明の溶接用保護面は、前記溶接用保護面において、溶接機のパラメータを設定するための操作を受け付ける複数の操作部を備えた溶接用保護面である。
【００１８】
かかる構成により、作業中に操作によって溶接の複数のパラメータを設定することができ、溶接の作業効率を向上させることができる。
【００１９】
また、本発明の溶接用保護面は、前記溶接用保護面において、操作部のうちの一以上は、溶接機のパラメータである電流を設定する操作、または、溶接機のパラメータである電圧を設定する操作の少なくとも一方を受け付ける溶接用保護面である。
【００２０】
かかる構成により、溶接の電流及び電圧の少なくとも一方の設定を作業中に容易に変更するることができる。
【００２１】
また、本発明の溶接用保護面は、前記溶接用保護面において、一以上の操作部が、それぞれ、三以上の異なるパラメータの値を設定する操作を受け付ける溶接用保護面である。
【００２２】
かかる構成により、溶接の各パラメータを細かく設定することができる。
【００２３】
また、本発明の溶接用保護面は、前記溶接用保護面において、一以上の操作部の少なくとも一部は、一以上の操作部が予め指定された操作を受け付けた場合に、溶接機のパラメータを設定するための操作を受け付け可能な状態となる溶接用保護面である。
【００２４】
かかる構成により、操作部に誤って触れた場合等による誤動作を防ぐことができる。
【発明の効果】
【００２５】
本発明による溶接用保護面によれば、電力の供給状況を考慮する必要がなく、かつ、作業効率を損ねることなく溶接機を遠隔操作することができる。
【図面の簡単な説明】
【００２６】
【図１】本発明の実施の形態１における溶接用保護面の、前方から見た図（図１（ａ））、側面図（図１（ｂ））及び後方から見た斜視図（図１（ｃ））
【図２】同溶接用保護面のグリップの斜視図（図２（ａ））、後方から見た図（図２（ｂ））、及び右側面（図２（ｃ））
【図３】同溶接用保護面を備えた溶接システムの構成を示すブロック図
【図４】同溶接用保護面を説明するための光電池の分光感度を示す図
【発明を実施するための形態】
【００２７】
以下、溶接用保護面等の実施形態について図面を参照して説明する。なお、実施の形態において同じ符号を付した構成要素は同様の動作を行うので、再度の説明を省略する場合がある。
【００２８】
（実施の形態）
図１は、本実施の形態における溶接用保護面の、前方から見た図（図１（ａ））、側面図（図１（ｂ））及び後方から見た斜視図（図１（ｃ））である。
【００２９】
図２は、本実施の形態における溶接用保護面のグリップの斜視図（図２（ａ））、後方から見た図（図２（ｂ））、及び右側面（図２（ｃ））である。
【００３０】
図３は、本実施の形態における溶接用保護面を備えた溶接システムの構成を示すブロック図である。
【００３１】
溶接システム１０００は、図３に示すように、溶接用保護面１及び溶接機３を備える。
【００３２】
溶接用保護面１は、光電池１０１、電力供給部６０、複数の操作部２０１、及び送信部２０２を備えている。この実施の形態においては、複数の操作部２０１が、第一回転操作部２０１ａ及び第二回転操作部２０１ｂである場合を例に挙げて説明する。
【００３３】
電力供給部６０は、電圧調整回路６０１、ダイオード６０２，６０３、充電制御回路６０４、及び二次電池６０５を備えている。
【００３４】
溶接機３は、溶接電源装置３０、ワイヤ送給装置４０、溶接トーチ５０を備える。
【００３５】
溶接電源装置３０は、受信部３０１、溶接制御部３０２、電源部３０３を備える。
【００３６】
溶接用保護面１は、図１に示すように、保護面１０、及び保護面１０を保持するためのグリップ２０を備える。グリップ２０は、１または２以上の操作部２０１と、送信部２０２とを備える。溶接用保護面１は、例えば、ハンドシールド型の溶接用保護面である。
【００３７】
保護面１０の表面には、１または２以上の光電池１０１が配置されている。光電池１０１が配置されている位置やサイズ、数等は問わない。例えば、光電池１０１は、保護面１０前面の窓部１０３以外の領域に配置される。この光電池１０１により、溶接時に発生する光から、溶接用保護面１の送信部２０２で利用する電力を取得することができる。
【００３８】
保護面１０は、顔部や、頭頸部の前面等を覆うための面体である。保護面１０は、例えば、溶接の際に発生する目に有害な紫外放射、赤外放射及び強い可視光から溶接作業者の目を保護し，かつ，アークやスパッタなどによる外傷の危険から顔部や頭頸部の前面を保護するためのものである。保護面１０は、例えば、溶接に利用可能な保護面であれば、どのような材質及び形状の保護面であってもよい。
【００３９】
光電池１０１は、光エネルギーを電力に変換するものである。例えば、光電池１０１は、溶接時に発生するアーク等の光の光エネルギーを電力に変換するものである。光電池１０１は、光起電力効果によって光を電力に変換して電力供給部６０に出力する。光電池１０１は、例えば、図示しない複数の光電池セルを直列や並列に接続してパネル状にしたものである。光電池１０１は、太陽電池や、ソーラーパネル等も含む概念である。光電池１０１については、公知技術であるので、ここでの詳細な説明は省略する。
【００４０】
なお、光電池１０１として、溶接機３を用いて行われる溶接の種類に応じて、異なるアーク光のスペクトルに合わせた光電池を用いれるようにしてもよい。このようにすることで、溶接時に発生する光によって、より効率的に発電をすることができる。具体的には、アーク光のスペクトルにおいて相対的に強度の高い波長領域の分光感度が高い光電池１０１を用いればよい。分光感度とは、光電池の波長による感度の違いを表すものであり、特定波長における、入射光強度と出力電流値の比である。
【００４１】
図４は、光電池の分光感度を示す図である。単結晶シリコン光電池の分光感度を実線で、アモルファスシリコン光電池の分光感度を破線で示している。図に示すように、単結晶シリコン光電池の分光感度は０．９（μｍ）付近で一番高くなり、アモルファスシリコン光電池の分光感度は０．６（μｍ）付近で一番高くなっている。アモルファスシリコン光電池の方が単結晶シリコン光電池より、短い波長領域で分光感度が高くなっている。
【００４２】
一方、ＭＩＧ溶接やＴＩＧ溶接のようなシールドガスにアルゴンガスを用いるアーク溶接の場合、アーク光のスペクトルにアルゴンの特性スペクトルが表れ、０．７〜０．９（μｍ）の相対強度が大きくなる。したがって、溶接機３がＭＩＧ溶接またはＴＩＧ溶接を行う場合、光電池１０１として単結晶シリコン光電池を用いる方が効率が良い。また、ＭＡＧ溶接や炭酸ガスアーク溶接の場合、ワイヤ電極に含まれる鉄の特性スペクトルがアーク光のスペクトルに表れ、０．５（μｍ）近辺の相対強度が大きくなる。したがって、溶接機３がＭＡＧ溶接または炭酸ガスアーク溶接のような消耗電極を用いる溶接を行う場合、光電池１０１としてアモルファスシリコン光電池を用いる方が効率が良い。なお、上記記載は、各溶接方法に適用できる光電池１０１の種類を限定するものではない。光電池のその他の性質（光吸収係数、温度特性、変換効率など）や、配置面積、コストなどを総合的に考慮して、光電池１０１の種類を決定すればよい。
【００４３】
光電池１０１は、電力供給部６０の電圧調整回路６０１と接続されている。電力供給部６０において、電圧調整回路６０１は、ダイオード６０３を介して送信部２０２と接続され、ダイオード６０２と、充電制御回路６０４と、二次電池６０５とを介して送信部２０２と接続されている。
【００４４】
電力供給部６０の電圧調整回路６０１は、光電池１０１から入力される電圧を所定の電圧に変換する回路であり、ＤＣ／ＤＣコンバータを備えている。電圧調整回路６０１から出力される電力は、ダイオード６０３を介して送信部２０２に供給される。また、送信部２０２で消費される電力以上に光電池１０１が発電を行った場合は、電力がダイオード６０２を介して充電制御回路６０４に出力され、充電制御回路６０４により二次電池６０５が充電される。
【００４５】
充電制御回路６０４は、二次電池６０５の充電を制御するものである。充電制御回路６０４の構成は、充電器等において公知の技術であるため、ここでは詳細な説明は省略する。
【００４６】
二次電池６０５は、充電により繰り返し電力を蓄えることができる電池である。二次電池は、例えば、蓄電池も含む概念である。本実施の形態では、例えば、二次電池６０５としてリチウムイオン電池を用いている。なお、二次電池６０５として、ニッケル水素電池、ニッケルカドミウム電池、鉛蓄電池などの他の二次電池を用いてもよい。また、電気二重層コンデンサなどのコンデンサを用いてもよい。二次電池６０５は、送信部２０２で消費される電力が不足する場合に、蓄えた電力を放電して送信部２０２に供給する。
【００４７】
なお、電力供給部６０の構成は、光電池１０１が取得した電力を送信部２０２等へ供給するものであれば、上述したものに限定されない。例えば、送信部２０２への出力と二次電池６０５への充電とを切り替えるようにしてもよい。また、ダイオード６０２を例えば二次電池６０５と送信部２０２との間に設けるようにしてもよい。また、溶接作業中に電力不足になることだけを防ぐのであれば、充電制御回路６０４および二次電池６０５を設けずに、乾電池を併用するようにしてもよい。この場合、溶接作業時にはアークが発生しているので光電池１０１が電力を供給し、溶接作業時以外は乾電池が電力を供給する。したがって、溶接作業時に電力不足になることを防ぐことができる。また、溶接作業時には、乾電池の電力を利用しないようにして乾電池の消耗を抑えることができる。
【００４８】
また、電力供給部６０は、溶接用保護面１の送信部２０２以外の処理部等にも電力を供給するようにしてもよい。例えば、操作部２０１が、操作を受け付けるために電力を必要とする場合、電力供給部６０は、操作部２０１に電力を供給するようにしてもよい。また、例えば、溶接用保護面１が、複数の操作部２０１や送信部２０２の動作を制御する制御部（図示せず）を、これらの処理部とは別に有している場合、電力供給部６０は、制御部に電力を供給するようにしてもよい。
【００４９】
なお、本実施の形態の電力供給部６０は、グリップ２０内に設けられていることが好ましいが、保護面１０に設けるようにしてもよい。また、電力供給部６０の一部を保護面１０に取り付け、他の部分をグリップ２０内に設けるようにしてもよい。また、後述するように、グリップ２０を保護面１０に対して着脱可能とする場合、光電池１０１と電力供給部６０とを接続するための電極やコネクタ（図示せず）を、両者の取り付け面等に設けるようにしてもよい。
【００５０】
グリップ２０は、手に握って保護面１０を保持するための棒状の部材である。グリップ２０は、通常、保護面１０の下方に取り付けられている。ただし、取り付け位置は問わない。グリップ２０は、保護面１０に対して直接取り付けられていてもよく、取り付け用の部材等を介して取り付けられていてもよい。本実施の形態においては、図１に示すように、グリップ２０が、保護面１０の前面下方に取り付けられたＬ字型の取り付け部材１５を介して保護面１０に取り付けられている場合を例に挙げて説明する。グリップ２０は、保護面１０に着脱可能となるように取り付けられていてもよい。例えば、グリップ２０は、嵌め込み構造や、レバー式の留め具等の着脱機構等により着脱可能となるよう取り付けられていてもよい。
【００５１】
グリップ２０の材質は問わない。グリップ２０の材質は、溶接時に発生する熱等による変形が起こりにくい材質であることが好ましい。
【００５２】
グリップ２０は、一以上の操作部２０１を備えている。操作部２０１は、溶接機３のパラメータを設定するためのものである。溶接機３のパラメータとは、例えば、溶接機３の電流や、電圧である。グリップ２０は、溶接機３のパラメータを設定する操作を受け付ける複数の操作部２０１を備えていることが好ましい。操作部２０１は、パラメータを設定するための回転操作を受け付けるものであることが好ましい。グリップ２０は、回転操作を受け付ける複数の操作部２０１を備えていることが好ましい。回転操作を受け付ける操作部２０１は、例えば、ロータリースイッチや、ロータリーセレクタ、ダイヤル式スイッチである。回転操作を受け付ける操作部２０１は、いわゆる回転式のボリューム等の回転式の可変抵抗も含むと考えてもよい。回転操作を受け付ける操作部２０１は、例えば、回転操作を受け付けるためのホイール状部材を備えている。ホイール状部材は、例えば、円盤状の部材である。なお、回転操作を受け付ける操作部２０１は、回転操作を受け付けるものであれば、どのような構造を備えたものであってもよい。例えば、操作部２０１は、回転操作後に予め指定された回転位置に戻るような機構を備えたものであってもよい。なお、操作部２０１は、回転操作以外の操作を受け付けるもの、例えば、スライド操作や、プッシュ操作等を受け付けるものであってもよい。
【００５３】
一以上の操作部２０１のうちの一以上は、溶接機３のパラメータである電流を設定する操作、または、溶接機３のパラメータである電圧を設定する操作の少なくとも一方を受け付けるものであることが好ましい。
【００５４】
複数の操作部２０１は、例えば、溶接機３の異なるパラメータを設定するための操作をそれぞれ受け付ける。ここでの異なるパラメータとは、例えば、種類や制御対象が異なるパラメータである。なお、この実施の形態においては、複数の操作部２０１として、溶接機３のパラメータの一つである電流を設定するための回転操作を受け付ける第一回転操作部２０１ａと、溶接機３のパラメータの一つである電圧を設定するための回転操作を受け付ける第二回転操作部２０１ｂとを備えている場合を例に挙げて説明する。ただし、本発明においては、グリップ２０は、第一回転操作部２０１ａ及び第二回転操作部２０１ｂの少なくとも一方を含む、異なるパラメータを設定するための２または３以上の操作部を備えていてもよい。また、第一回転操作部２０１ａ及び第二回転操作部２０１ｂ以外の２または３以上の操作部を備えていてもよい。なお、溶接機３のパラメータである電流及び電圧とは、例えば、溶接機３の溶接電源装置３０の電源部３０３が供給する電流及び電圧である。
【００５５】
複数の操作部２０１（例えば、第一回転操作部２０１ａ及び第二回転操作部２０１ｂ）は、例えば、それぞれが、三以上の異なるパラメータ値を設定する操作を受け付ける。例えば、第一回転操作部２０１ａは、回転操作によって、三以上の異なる電流の値を溶接機３に設定する操作を受け付けるようにしてもよい。例えば、第一回転操作部２０１ａは、回転操作によって、予め設定された三段階以上の電流の値のいずれかを溶接機３に設定する操作を受け付ける。第二回転操作部２０１ｂは、例えば、回転操作によって、三以上の異なる電圧の値を溶接機３に設定する操作を受け付けるようにしてもよい。第二回転操作部２０１ｂは、例えば、回転操作によって、予め設定された三段階以上の電圧の値のいずれかを溶接機３に設定する操作を受け付けてもよい。第一回転操作部２０１ａ及び第二回転操作部２０１ｂは、それぞれ、例えば、回転量によって無段階に変化するパラメータ値を設定する操作を受け付けてもよい。なお、複数の操作部２０１が、例えば、スライド式の操作部である場合、スライド量や、スライド位置によって、三以上の異なるパラメータ値を設定する操作を受け付けるようにしてもよい。
【００５６】
一以上の操作部２０１は、例えば、グリップ２０の後方の上部に設けられている。例えば、一または二以上の操作部２０１は、例えば、グリップ２０の後方に操作面が位置するように設けられている。回転操作を受け付ける操作部２０１の操作面は、例えば、複数の操作部２０１をそれぞれ構成するホイール状部材の側面、あるいはその一部である。例えば、本実施の形態においては、第一回転操作部２０１ａ及び第二回転操作部２０１ｂをそれぞれ構成するホイール状部材２０１１ａ及び２０１１ｂの側面が、操作面２０１２ａ及び２０１２ｂである。ホイール状部材２０１１ａ及び２０１１ｂの側面の一部には、例えば、予め指定された位置に、突起２０１３ａ、２０１３ｂが設けられている。なお、ホイール状部材２０１１ａ及び２０１１ｂは、側面に滑り止めのための凹凸等を有していてもよい。操作部２０１（例えば、第一回転操作部２０１ａ及び第二回転操作部２０１ｂ）は、グリップ２０を溶接作業者が握った場合に、親指が届く位置に設けられていることが好ましい。例えば、本実施の形態においては、図２に示すように、グリップ２０が、上方後部において、幅方向の厚さが他の部分に対して薄い部分を有しており、この厚さの薄い部分の両側に、第一回転操作部２０１ａと第二回転操作部２０１ｂとがそれぞれ回動可能に取り付けられている場合を例に挙げて示している。なお、操作を受け付ける一または二以上の操作部２０１は、例えば、グリップ２０の後方に操作面が位置するように設けられていれば、操作部の側部の後方部分だけが、グリップ２０から露出した構成であってもよい。また、グリップ２０における第一回転操作部２０１ａと、第二回転操作部２０１ｂとの配置が逆であってもよい。
【００５７】
一または二以上の操作部２０１のうちの少なくとも一部は、一以上の操作部２０１が予め指定された操作を受け付けた場合に、溶接機３のパラメータを設定するための操作を受け付け可能な状態となるようにすることが好ましい。操作を受け付け可能な状態とは、例えば、各操作部２０１が操作を受け付けた場合に、この操作を、溶接機３のパラメータを設定するための操作として受け付ける状態、あるいはパラメータを設定するための操作と判断する状態となることである。あるいは、予め指定された操作を受け付けた場合に、溶接機３のパラメータを設定するための操作を受け付けるための電力供給が操作部に対して行われること（例えば電源オンや通電状態となること）や、操作を溶接機３のパラメータを設定するための操作として判断する判断処理を操作部２０１等が実行可能な状態とすることや、溶接機３のパラメータを設定するための操作を受け付けるための回路等に操作部２０１が接続されることであってもよい。なお、一の操作部２０１が予め指定された操作を受け付けた場合に、この一の操作部２０１だけが、溶接機３のパラメータを設定するための操作を受け付けられるようにしてもよく、全ての操作部２０１が操作を受け付けられるようにしてもよい。
【００５８】
上述した予め指定された操作を受け付ける前は、操作部２０１は、例えば、溶接機３のパラメータを設定する操作を受け付けられない状態となるようにする。溶接機３のパラメータを設定する操作を受け付けられない状態とは、操作部２０１が操作を受け付けた場合においても、この操作を溶接機３のパラメータを設定するための操作として受け付けないこと、あるいは、パラメータを設定するための操作と判断しないことである。あるいは、溶接機３のパラメータを設定するための操作を受け付けるための電力供給が操作部２０１に対して行われていない状態（例えば電源オフ状態や非通電状態）や、操作を溶接機３のパラメータを設定するための操作として判断する判断処理を操作部２０１等が実行できない状態とすることや、溶接機３のパラメータを設定するための操作を受け付けるための回路等に操作部２０１が接続されていない状態であってもよい。また、操作部２０１が受け付けた操作により得られた操作を示す情報を破棄することや、無効とすることであってもよい。
【００５９】
一以上の操作部２０１に対する予め指定された操作は、どのような操作であってもよい。例えば、操作部２０１が回転操作を受け付けるものである場合、一以上の操作部２０１を所定回数以上、所定の回転角度以上、回転させる操作や、上下方向に所定回数回ずつ回転させる回転操作であってもよい。また、一以上の操作部２０１を所定の回転角度以上、所定の方向に移動させた後、元の位置に戻す操作であってもよい。あるいは、一以上の操作部２０１を所定の方向に所定の回転角度以上回転させた状態で、所定時間以上保持する操作や、２つの操作部２０１を、それぞれ、回転させる操作であってもよい。また、操作部２０１が回転操作に加えて、押しボタンとして機能する構成を有している場合、この操作部２０１が押しボタンを押す操作を受け付けた場合に、複数の操作部２０１が、溶接機３のパラメータを設定するための回転操作を受け付け可能な状態となるようにしてもよい。ここでの操作対象となる一以上の操作部２０１は、操作部２０１が複数も受けられている場合、特定の操作部２０１であってもよいし、任意の操作部２０１であってもよい。また、操作部２０１が押しボタン等の押す操作を受け付けるものである場合、所定間隔内に、一以上の所定の回数の押す操作を受け付けた場合に、予め指定された操作を受け付けたと判断してもよい。また、予め指定された操作は、複数の操作部２０１を、所定の時間内や時間間隔内において、所定の順番で動かすことであってもよい。
【００６０】
このように、一以上の操作部２０１が予め指定された操作を受け付けた場合に、一以上の操作部２０１が、溶接機３のパラメータを設定するための操作を受け付け可能な状態となるようにすることで、作業中に誤って操作部２０１に触れた場合に、溶接機３のパラメータの設定が変更されて、所望の溶接が行えなくなることを防ぐことができる。
【００６１】
また、操作部２０１は、上述したように、溶接機３のパラメータを設定するための操作を受け付け可能な状態において、予め指定された時間以上、操作を受け付けなかった場合に、溶接機３のパラメータを設定するための操作を受け付けない状態となるようにすることが、誤った操作を受け付けにくくするうえで好ましい。例えば、溶接作業者が、誤って操作部２０１に触れた結果、操作部２０１が、溶接機３のパラメータを設定する操作を受け付け可能な状態となったとしても、例えば、予め指定された時間（例えば、５秒間等）が経過するまでに操作を受け付けなければ、再度、溶接機３のパラメータを設定する操作を受け付けられない状態に戻ることで、誤った操作を受けにくくすることができる。つまり、操作を受け付け可能な操作と、実際のパラメータを設定する操作との組み合わせを、所定の時間感覚内に受け付けない場合は、誤操作とすることができ、誤操作を未然に防ぐことが可能となる。予め指定された時間は、どのような時間に設定してもよい。
【００６２】
例えば、操作部２０１は、溶接機３のパラメータを設定するための操作を受け付け可能とするための操作を受け付けた時点から、時間の計測を開始し、溶接機３のパラメータを設定するための操作を受け付ける毎に、計測した時間をリセットして、再度計測を繰り返し、計測した時間が予め指定された時間が経過した場合、溶接機３のパラメータを設定するための操作を受付できない状態へと移行する。
【００６３】
なお、操作部２０１は、上述したような操作を受け付け可能な状態に移行するか否かを判断する処理や、操作を受け付けない状態に移行するための判断処理等を行うための、ＭＰＵやメモリ等を備えていてもよい。これらの処理は、通常、ソフトウェアで実現され、当該ソフトウェアはＲＯＭ等の記録媒体に記録されている。但し、同様の構成を、ハードウェア（専用回路）で実現しても良い。
【００６４】
送信部２０２は、一以上の操作部２０１がそれぞれ受け付けた操作に応じたパラメータを設定する設定指示を溶接機３に送信する。送信部２０２は、光電池１０１が取得した電力を用いて送信を行う。設定指示は、例えば、溶接機３の所定のパラメータ値を操作部２０１に対する操作によって示される値に設定する指示である。送信部２０２は、例えば、操作部２０１が操作を受け付けた場合に、設定指示を送信する。例えば、送信部２０２は、第一回転操作部２０１ａが回転操作を受け付けた場合に、溶接機３が溶接に利用する電流の値を、第一回転操作部２０１ａが受け付けた操作が示す値に設定する設定指示を溶接機３に送信する。送信部２０２は、例えば、第二回転操作部２０１ｂが回転操作を受け付けた場合に、溶接機３が溶接に利用する電圧の値を、第二回転操作部２０１ｂが受け付けた操作が示す値に設定する設定指示を溶接機３に送信する。設定指示は、例えば、回転操作に対応するパラメータの種類や操作対象とその設定値とを示す情報であってもよいし、更に、設定を実行させるコマンドとを有する情報であってもよい。パラメータの設定値は、例えば、パラメータ値と考えてよい。
【００６５】
送信部２０２は、無線通信により設定指示を送信することが、溶接用保護面１と溶接機３等を有線接続する必要がなく、溶接用保護面の動きが制限されないことから好ましい。
【００６６】
送信部２０２は、この実施の形態においては、一例として、溶接機の受信部３０１との間で、直接スペクトル拡散（Ｄｉｒｅｃｔ  Ｓｅｑｕｅｎｃｅ  Ｓｐｒｅａｄ  Ｓｐｅｃｔｒｕｍ：ＤＳＳＳ）通信方式を用いて通信を行う。直接スペクトル拡散通信方式では、送信側は、送信する信号に対して拡散符号による演算を行い、元の信号のスペクトルをより広い帯域に拡散して送信する。受信側は、受信した信号を共通する拡散符号を用いて逆拡散することで、元の信号に戻す。例えば、溶接システム１０００毎に異なる拡散符号を用いていれば、別の溶接システムで送受信される信号を誤って受信したとしても、受信した信号は異なる拡散符号で逆拡散されて、ノイズとして除去される。したがって、高い通信品質で通信を行うことができる。
【００６７】
送信部２０２は、例えば、図示しないアンテナを介して信号の送受信を行う。送信部２０２は、キャリア信号をＢＰＳＫ（Ｂｉｎａｒｙ  Ｐｈａｓｅ  Ｓｈｉｆｔ  Ｋｅｙｉｎｇ）変調し、変調信号にスペクトル拡散を行い、アナログ信号に変換して、電磁波として送信する。なお、変調方法はＢＰＳＫ変調に限られず、ＡＳＫ変調やＦＳＫ変調を行うようにしてもよい。また、スペクトル拡散は直接拡散方式に限られず、周波数ホッピング方式を用いてもよい。
【００６８】
なお、本実施の形態では、スペクトル拡散を行っているが、これに限定されず、スペクトル拡散を行わないようにしてもよい。送信部２０２の無線通信の方式や、設定信号のエンコード方法等は問わない。無線通信の方式等は、アーク溶接により発生するノイズ等の影響を受けにくいものであることが好ましい。送信部２０２は、通常、無線または有線の通信手段で実現される。
【００６９】
なお、グリップ２０は、複数の操作部２０１と送信部２０２との動作を制御する制御部（図示せず）等を、操作部２０１や送信部２０２とは別に備えているようにしてもよい。例えば、グリップ２０は、上述したような溶接機３のパラメータを設定するための操作を受け付け可能な状態に移行するか否かを判断する処理や、操作を受け付けない状態に移行するための判断処理等を行うための、図示しない制御部等を備えていてもよい。このような制御部は、例えば、ＭＰＵやメモリ等で実現可能である。これらの処理は、通常、ソフトウェアで実現され、当該ソフトウェアはＲＯＭ等の記録媒体に記録されている。但し、ハードウェア（専用回路）で実現しても良い。
【００７０】
溶接機３は、電力を利用して溶接を行う。溶接機３は、例えば、アーク溶接機である。本実施の形態においては、溶接機３が消耗電極型のアーク溶接機である場合を例に挙げて説明する。ただし、溶接機３は、他の構造の溶接機であってもよい。
【００７１】
溶接機３の、溶接電源装置３０の電源部３０３の一方の出力端子（図示せず）は、電力供給線６１を介してワイヤ送給装置４０と接続されている。ワイヤ送給装置４０は、ワイヤ電極５１を溶接トーチ５０に送り出して、ワイヤ電極５１の先端を溶接トーチ５０の先端から突出させる。溶接トーチ５０先端に配置されているコンタクトチップ（図示せず）において、電力供給線６１とワイヤ電極５１とは電気的に接続されている。溶接電源装置３０の電源部３０３の他方の出力端子（図示せず）は、電力供給線６２を介して、被加工物７０に接続される。溶接電源装置３０は、溶接トーチ５０の先端から突出するワイヤ電極５１の先端と、被加工物７０との間に高電圧を印加してアークを発生させ、アークに電力を供給する。溶接機３は、このアークの熱で被加工物７０の溶接を行う。なお、溶接機３は、実際には、溶接トーチ５０から放出するシールドガスのガスタンク、溶接トーチ５０を冷却する冷却水を循環させる冷却水循環装置などを備えている場合もあるが、ここでは、図への記載や詳細な説明は省略する。
【００７２】
溶接電源装置３０は、アーク溶接のための電力を溶接トーチ５０に供給するものである。
【００７３】
受信部３０１は、グリップ２０の送信部２０２から送信される設定指示を受信する。受信部３０１は、例えば、無線通信により設定指示を受信することが好ましい。受信部３０１は、例えば、グリップ２０から受信した設定指示を、例えば復調して、溶接制御部３０２に出力する。受信部３０１は、図示しないアンテナ等を介して受信を行う。受信部３０１は、例えば通信手段により実現される。
【００７４】
溶接制御部３０２は、受信部３０１が受信した設定指示に従って、溶接機３を制御するためのパラメータを設定する。例えば、溶接制御部３０２は、受信部３０１が設定指示を受け付けた場合に、設定指示に応じて電源部３０３を制御するためのパラメータを設定する。例えば、溶接制御部３０２は、この設定指示に応じて設定されたパラメータにより電源部３０３を制御する。例えば、パラメータに応じた制御を行うための制御信号を、電源部３０３に出力する。例えば、受信部３０１が受け付けた設定指示が、溶接機３のパラメータの一つである溶接機３が供給する電流を所定値に変更する設定指示である場合、溶接制御部３０２は、供給する電流のパラメータ値を、設定指示が示す所定の値に設定し、電源部３０３が供給する電流を所定の値に変更する制御信号を電源部３０３に出力する。電圧についても同様である。
【００７５】
電源部３０３は、溶接のための電力を供給する。例えば、電源部３０３は、電力系統から入力される三相交流電力をアーク溶接に適した直流電力に変換して出力する。例えば、電源部３０３に入力された三相交流電力は、図示しない整流回路によって直流電力に変換され、図示しないインバータ回路によって交流電力に変換される。そして、図示しないトランスによって降圧され、図示しない整流回路によって直流電力に変換されて、図示しない出力端子から出力される。
【００７６】
電源部３０３は、溶接制御部３０２が出力する制御信号に応じて制御される。例えば、溶接制御部３０２から、電源部３０３が出力する電力を制御する制御信号を受け付けた場合に、電源部３０３は、この制御信号に応じて、出力する電力を制御する。例えば、電源部３０３は、溶接制御部３０２から、電圧を上げる制御信号を受け付けた場合、この制御信号に応じて、出力する電圧を高くする。
【００７７】
このように、受信部３０１が受信した設定指示に応じて、溶接制御部３０２が電源部３０３等のパラメータを設定することにより、溶接機３のパラメータを、グリップ２０の複数の操作部２０１の受け付けた操作に応じて設定することが可能となり、溶接機の動作等を、操作部２０１の受け付けた操作に応じて制御することが可能となる。
【００７８】
ワイヤ送給装置４０及び溶接トーチ５０については、公知技術であるので、ここでは詳細な説明は省略する。
【００７９】
以下、溶接システムの具体的な動作について説明する。
【００８０】
例えば、溶接作業者が溶接用保護面１のグリップ２０左手に握り、右手で溶接トーチを持った状態で、溶接電源装置３０の電源部３０３から電力を供給して、被加工物７０に対してアーク溶接を行っていたとする。
【００８１】
本実施の形態においては、溶接作業者が溶接用保護面１で顔を覆って溶接を行っている際には、保護面１０の前面に配置された光電池１０１が、溶接時に発生するアーク光を受光して電力を発生する。光電池１０１で発生した電力が電力供給部６０から送信部２０２に供給され、送信部２０２は、複数の操作部２０１が受け付けた操作に応じた設定指示を、溶接機３に送信する。電力供給部６０の電圧調整回路６０１は、溶接作業中に光電池１０１で発生した電力を送信部２０２に供給するとともに、送信部２０２で消費しきれない電力は充電制御回路６０４に送信して、二次電池６０５に蓄積する。また、溶接を行っていない場合や、光電池１０１で発生した電力が足りない場合等には、二次電池６０５に蓄えられた電力が送信部２０２に出力される。
【００８２】
溶接作業者が、電源部３０３から供給される電流を変化させるために、左手の親指で第一回転操作部２０１ａの側面２０１２ａを上方向に押し上げるようにして、第一回転操作部２０１ａを、所定の角度以上、回転させたとする。第一回転操作部２０１ａ及び第二回転操作部２０１ｂは、この回転操作を受け付け、この操作に応じて、溶接機３のパラメータを設定するための回転操作を受け付け可能な状態へと移行する。例えば、グリップ２０の電源をオンとして、第一回転操作部２０１ａ及び第二回転操作部２０１ｂや、送信部２０２の電源をオンとする。
【００８３】
更に、溶接作業者が、電源部３０３から供給される電流を増加させるために、左手の親指で第一回転操作部２０１ａの側面２０１２ａを上方向に押し上げるようにして、第一回転操作部２０１ａを回転させたとする。例えば、第一回転操作部２０１ａは、電流についての三段階以上の異なるパラメータ値を選択可能なロータリースイッチであり、この回転操作によって、溶接機３の電流のパラメータ値を、現在の電流のパラメータ値よりも、例えば、二段階高い値に設定するための回転操作を受け付けたとする。なお、ここでのパラメータ値の一段階分の値は、例えば、予め設定された電流の値であるとする。ただし、予め指定された比率等であってもよい。
【００８４】
第一回転操作部２０１ａが回転操作を受け付けると、送信部２０２は、受け付けた回転操作に応じた設定指示を溶接機３に無線により送信する。具体的には、送信部２０２は、電流のパラメータ値を、現在のパラメータ値よりも二段階高い値に設定する設定指示を送信する。
【００８５】
溶接機３の溶接電源装置３０の受信部３０１は、送信部２０２が送信する設定指示を受信し、受信した設定指示を溶接制御部３０２に渡す。
【００８６】
溶接制御部３０２は、受信部３０１が受信した設定指示に応じて、電源部３０３が供給する電流のパラメータ値を、現在のパラメータ値よりも二段階高い値に設定する。例えば、溶接制御部３０２は、図示しない記憶媒体等に格納されている電流のパラメータ値を更新する。そして、溶接制御部３０２は、更新したパラメータ値に応じて、電源部３０３が出力する電流を制御する。例えば、溶接制御部３０２は、現在の電流よりも二段階分値が高い電流を出力する制御信号を電源部３０３に出力する。電源部３０３は、この制御信号に応じて、溶接トーチ５０に対して供給する電流の値を、二段階高くする。これにより、第一回転操作部２０１ａが受け付けた回転操作に応じて、電源部３０３から供給される電流が変更される。
【００８７】
また、溶接作業者が、電源部３０３から供給される電圧を下げるために、左手の親指で第二回転操作部２０１ｂの側面２０１２ｂを下方向に引き下げるようにして、第二回転操作部２０１ｂを回転させたとする。例えば、第二回転操作部２０１ｂは、電圧についての三段階以上の異なるパラメータ値を選択可能なロータリースイッチであり、この回転操作によって、溶接機３の電圧のパラメータ値を、現在の電圧のパラメータ値よりも、例えば、一段階低い値に設定するための回転操作を受け付けたとする。なお、ここでのパラメータ値の一段階分の値は、例えば、上記と同様に、予め設定された値であるとする。ただし、予め指定された比率等であってもよい。
【００８８】
第二回転操作部２０１ｂが回転操作を受け付けると、送信部２０２は、受け付けた回転操作に応じた設定指示を溶接機３に無線により送信する。具体的には、送信部２０２は、電圧のパラメータ値を、現在のパラメータ値よりも一段階低い値に設定する設定指示を送信する。
【００８９】
溶接機３の溶接電源装置３０の受信部３０１は、送信部２０２が送信する設定指示を受信し、受信した設定指示を溶接制御部３０２に渡す。
【００９０】
溶接制御部３０２は、受信部３０１が受信した設定指示に応じて、電源部３０３が供給する電圧のパラメータ値を、現在のパラメータ値よりも一段階低い値に設定する。例えば、溶接制御部３０２は、図示しない記憶媒体等に格納されている電圧のパラメータ値を更新する。そして、溶接制御部３０２は、更新したパラメータ値に応じて、電源部３０３が出力する電圧を制御する。例えば、溶接制御部３０２は、現在の電圧よりも一段階分値が低い電流を出力する制御信号を電源部３０３に出力する。電源部３０３は、この制御信号に応じて、溶接トーチ５０に対して供給する電圧の値を、一段階低くする。これにより、第二回転操作部２０１ｂが受け付けた回転操作に応じて、電源部３０３から供給される電圧が変更される。
【００９１】
ここで、例えば、複数の操作部２０１は、複数の操作部２０１が溶接機３のパラメータを設定する操作を受け付け可能となってから、時間の測定を開始し、所定の時間が経過するまでに、溶接機３のパラメータを設定する操作を受け付けたか否かを判断し、受け付けていない場合、溶接機３のパラメータを設定する操作を受け付けられない状態に移行する。上記の例においては、所定の時間が経過するまでに操作を受け付けたため、溶接機３のパラメータを設定する操作を受け付けられない状態に移行しなかったものとする。
【００９２】
また、所定の時間が経過するまでに溶接機３のパラメータを設定する操作を受け付けた場合は、複数の操作部２０１は、この操作も含めて溶接機３のパラメータを設定する操作を受け付ける毎に、計測時間をリセットして時間の計測を繰り返し行い、次の溶接機３のパラメータを設定する操作を受け付けるまでに、所定の時間が経過した場合には、溶接機３のパラメータを設定する操作を受け付けられない状態に移行する。
【００９３】
例えば、上記において電圧を一段階低くした直後から、複数の操作部２０１の少なくとも一方が時間を計測し、予め指定された時間、例えば、１０秒間が経過する前に、溶接機３のパラメータを設定する回転操作を受け付けた場合、この回転操作に応じて溶接機３のパラメータを設定して、計測した時間をリセットして再度時間の計測を最初から行う。また、予め指定された時間に、溶接機３のパラメータを設定する回転操作を受け付けなかった場合、操作部２０１は、溶接機３のパラメータの設定を受け付けるための回転操作を受け付けない状態に移行する。これにより、溶接作業者が操作部２０１に誤って触れてしまうことで、溶接機３のパラメータを誤って変更すること等を防ぐことができる。
【００９４】
以上、本実施の形態によれば、送信部２０２が、溶接時に発生する光から光電池１０１が生成した電力で設定情報の送信を行うようにしたことにより、溶接作業中に発生した光を電力源とすることができ、溶接作業中に送信部２０２の動作に必要な電力が低下してしまうことを防いで、遠隔によって溶接機３のパラメータを設定する際に必要な電力を確実に供給することができる。特に、送信部２０２が無線通信を行うようにする場合、通常は、溶接用保護面１が溶接機３と有線接続されないため、有線による電力供給が行われないため、電池による電力供給が必要となるが、このような場合においても、電池の電力低下による溶接作業の中断等を防ぐことができる。
【００９５】
また、本実施の形態によれば、送信部２０２を動作させるための乾電池等の一次電池を、溶接用保護面１あるいはそのグリップ２０に設けないようにすることができ、一次電池を取り替える手間をなくすことができる。
【００９６】
また、送信部２０２を動作させるための二次電池を、溶接用保護面１あるいはそのグリップ２０に設けた場合においては、光電池１０１が生成した電力で二次電池の充電が可能となるため、充電の手間をなくすることができるとともに、二次電池を充電するための外部電力を利用する充電装置等を不要とすることができる。
【００９７】
また、溶接時に溶接箇所に対面することとなる保護面１０の前面に光電池１０１を配置したことにより、溶接時に確実に、かつ、光源の近く、即ち溶接箇所の近傍において光を受光することができ、効率よく電力を得ることができる。
【００９８】
また、溶接時に発生するアーク光等の光を再利用することができる。
【００９９】
また、本実施の形態によれば、溶接用保護面１のグリップ２０に操作部２０１を設けたことにより、溶接時に作業を中断せずに、溶接機のパラメータを変更することができる。
【０１００】
また、グリップ２０に複数の操作部２０１を備えたことにより、溶接機３の複数のパラメータを容易に変更することができる。例えば、複数の操作部２０１として、電流を設定する第一回転操作部２０１ａと、電圧を設定する第二回転操作部２０１ｂとを備えたことにより、溶接機３のパラメータである電流と電圧を個別に容易に調整することができ、溶接の状況を細かく制御することができる。
【０１０１】
また、本実施の形態によれば、各操作部２０１が三以上の異なるパラメータ値を受け付けるようにしたことにより、例えば、回転操作等でパラメータ値について三段階以上の設定変更を行うことができ、電源部３０３を細かく制御することができる。
【０１０２】
また、本実施の形態によれば、グリップ２０を保護面１０に対して着脱可能としたことにより、作業状況に応じて、適宜、グリップ２０を取り外すことができる。
【０１０３】
なお、上記実施の形態において、一以上の操作部２０１として、複数の操作部２０１を設けるとともに、これらが、同じ一のパラメータ、例えば、電流または電圧等の一の種類や制御対象のパラメータを設定する操作を受け付けるとともに、一のパラメータについて受け付けるパラメータ値の変化の度合い（割合）が、操作部２０１ごとに異なるようにしてもよい。パラメータ値の変化の度合いが異なるとは、例えば、操作の変化量（例えば、回転操作部の回転量等）、あるいは操作による段階の変化量に対する操作部２０１が受け付けるパラメータ値の変化の割合が異なることを意味する。このようにすることで、パラメータ量の変更の程度に応じて、複数の操作部２０１を使い分けることで、設定の大きな変更を素早く行うことができ、かつ、設定を微調節することが可能となる。
【０１０４】
例えば、上述した実施の形態において、第一回転操作部２０１ａと第二回転操作部２０１ｂとをともに溶接機３の電圧を設定する操作を受け付ける操作受付部とするとともに、第一回転操作部２０１ａは、回転操作によって一段階分設定を高くする操作を行った場合には、１０Ａ（アンペア）単位でパラメータ値の設定が変化するようにし、第二回転操作部２０１ｂは、回転操作によって一段階分設定を高くする操作を行った場合には、１Ａ単位でパラメータ値の設定が変化するようにしてもよい。このようにすることで、第一回転操作部２０１ａを回転操作させた場合は、パラメータである電圧の設定の大きな変更を素早く行うことができるとともに、第二回転操作部２０１ｂを回転操作させた場合には、電圧の設定を微調節することが可能となる。
【０１０５】
なお、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【０１０６】
本発明は、以上の実施の形態に限定されることなく、種々の変更が可能であり、それらも本発明の範囲内に包含されるものであることは言うまでもない。
【産業上の利用可能性】
【０１０７】
以上のように、本発明にかかる溶接用保護面は、手にもって利用する溶接用保護面として適しており、特に、アーク溶接等の、電力を利用して行われる溶接において用いられる溶接用保護面等として有用である。
【符号の説明】
【０１０８】
１  溶接用保護面
３  溶接機
１０  保護面
１５  取り付け部材
２０  グリップ
３０  溶接電源装置
４０  ワイヤ送給装置
５０  溶接トーチ
５１  ワイヤ電極
６０  電力供給部
１０１  光電池
２０１  操作部
２０１ａ  第一回転操作部
２０１ｂ  第二回転操作部
２０２  送信部
３０１  受信部
３０２  溶接制御部
３０３  電源部
６０１  電圧調整回路
６０４  充電制御回路
６０５  二次電池
１０００  溶接システム
２０１１ａ、２０１１ｂ  ホイール状部材
２０１２ａ、２０１２ｂ  操作面
２０１３ａ、２０１３ｂ  突起
【図１】
2015223596.tif 000003
【図２】
2015223596.tif 000004
【図３】
2015223596.tif 000005
【図４】
2015223596.tif 000006